(57)【要約】  本願実施例は通信分野に係るデータ送信方法、装置及びシステムを提供し、前記方法は、端末が第１エリアにおいて第１電力を採用してデータを送信し、第２エリアにおいて第２電力を採用してデータを送信し、第１エリアと第２エリアは伝送リソースによって区分されることを含む。本願では、伝送リソースにおける異なるエリアが設定され、そして異なるエリアに相応の電力パラメータが独立して設定されることによって、電力パラメータに基づいて相応の電力を採用してデータを送信し、端末はアップリンクデータを送信する過程において、頻繁に制御信号を検出する必要がなく、端末の消費電力が低減され、そして、通信システムにおけるデータ伝送の信頼性と効率の向上に寄与する。
2021511704.tif 000002
【特許請求の範囲】
【請求項１】
データ送信方法であって、
端末が第１エリアにおいて第１電力を採用してデータを送信することと、
前記端末が第２エリアにおいて第２電力を採用してデータを送信することと、を含み、
前記第１エリアと前記第２エリアは伝送リソースによって区分されることを特徴とするデータ送信方法。
【請求項２】
前記第１エリアと前記第２エリアは時間領域リソースによって区分され、又は、
前記第１エリアと前記第２エリアは周波数領域リソースによって区分され、又は、
前記第１エリアと前記第２エリアは前記時間領域リソースと前記周波数領域リソースによって区分され、又は、
前記第１エリアと前記第２エリアは周波数領域帯域幅部分（ＢＷＰ）によって区分され、
前記時間領域リソースはシンボル、タイムスロット、及びサブフレームのうちの少なくとも１つを含み、前記周波数領域リソースは物理リソースブロック（ＰＲＢ）とリソースブロックグループ（ＲＢＧ）のうちの少なくとも１つを含むことを特徴とする請求項１に記載の方法。
【請求項３】
前記端末が第１エリアにおいて第１電力を採用してデータを送信する前に、前記方法は更に、
前記端末がアクセスネットワーク装置から送信されたエリア設定情報を受信し、前記エリア設定情報は前記第１エリアと前記第２エリアの設定を示すことに用いられることを含むことを特徴とする請求項１又は２に記載の方法。
【請求項４】
前記端末が第１エリアにおいて第１電力を採用してデータを送信する前に、前記方法は更に、
前記端末がアクセスネットワーク装置から送信されたエリア設定情報を受信し、前記エリア設定情報は前記第１電力エリアと前記第２電力エリアの設定を示すことに用いられることと、
前記端末が前記アクセスネットワーク装置から送信された電力差値を受信することと、を含み、
前記電力差値は第１電力の電力パラメータと第２電力の電力パラメータとの差値であることを特徴とする請求項１又は２に記載の方法。
【請求項５】
前記電力差値は準静的に設定されることを特徴とする請求項４に記載の方法。
【請求項６】
前記第１電力の電力パラメータと前記第２電力の電力パラメータは、一部又は全部が独立して設定されることを特徴とする請求項１に記載の方法。
【請求項７】
前記電力パラメータにおけるターゲット受信電力パラメータ及びパスロス補正係数は独立して設定され、且つ前記電力パラメータにおけるダイナミック電力調整値は共有して設定され、
又は、
前記電力パラメータにおけるターゲット受信電力パラメータ、パスロス補正係数、及びダイナミック電力調整値は独立して設定され、
又は、
前記電力パラメータにおけるターゲット受信電力パラメータは独立して設定され、且つ前記電力パラメータにおけるパスロス補正係数及びダイナミック電力調整値は共有して設定され、
又は、
前記電力パラメータにおけるターゲット受信電力パラメータ及びダイナミック電力調整値は独立して設定され、且つ前記電力パラメータにおけるパスロス補正係数は共有して設定され、
又は、
前記電力パラメータにおけるパスロス補正係数は独立して設定され、且つ前記電力パラメータにおけるターゲット受信電力パラメータ及びダイナミック電力調整値は共有して設定され、
又は、
前記電力パラメータにおけるパスロス補正係数及びダイナミック電力調整値は独立して設定され、且つ前記電力パラメータにおけるターゲット受信電力パラメータは共有して設定され、
又は、
前記電力パラメータにおけるダイナミック電力調整値は独立して設定され、且つ前記電力パラメータにおけるターゲット受信電力パラメータ及びパスロス補正係数は共有して設定され、
又は、
前記電力パラメータにおけるダイナミック電力調整値、ターゲット受信電力パラメータ及びパスロス補正係数は共有して設定されることを特徴とする請求項６に記載の方法。
【請求項８】
データ受信方法であって、
アクセスネットワーク装置が第１エリアにおいて第１電力を採用してデータを送信することと、
前記アクセスネットワーク装置が第２エリアにおいて第２電力を採用してデータを送信することと、を含み、
前記第１エリアと前記第２エリアは伝送リソースによって区分されることを特徴とするデータ受信方法。
【請求項９】
前記第１エリアと前記第２エリアは時間領域リソースによって区分され、又は、
前記第１エリアと前記第２エリアは周波数領域リソースによって区分され、又は、
前記第１エリアと前記第２エリアは前記時間領域リソースと前記周波数領域リソースによって区分され、又は、
前記第１エリアと前記第２エリアは周波数領域帯域幅部分（ＢＷＰ）によって区分され、
前記時間領域リソースはシンボル、タイムスロット、及びサブフレームのうちの少なくとも１つを含み、前記周波数領域リソースは物理リソースブロック（ＰＲＢ）とリソースブロックグループ（ＲＢＧ）のうちの少なくとも１つを含むことを特徴とする請求項８に記載の方法。
【請求項１０】
前記アクセスネットワーク装置が第１エリアにおいて第１電力を採用してデータを送信する前に、前記方法は更に、
前記アクセスネットワーク装置がエリア設定情報を端末に送信し、前記エリア設定情報は前記第１エリアと前記第２エリアの設定を示すことに用いられることを含むことを特徴とする請求項８又は９に記載の方法。
【請求項１１】
前記アクセスネットワーク装置が第１エリアにおいて第１電力を採用してデータを送信する前に、前記方法は更に、
前記アクセスネットワーク装置がエリア設定情報を端末に送信し、前記エリア設定情報は前記第１エリアと前記第２エリアの設定を示すことに用いられることと、
前記アクセスネットワーク装置が電力差値を前記端末に送信することと、を含み、
前記電力差値は第１電力の電力パラメータと第２電力の電力パラメータとの差値であることを特徴とする請求項８又は９に記載の方法。
【請求項１２】
前記電力差値は準静的に設定されることを特徴とする請求項１１に記載の方法。
【請求項１３】
前記第１電力の電力パラメータと前記第２電力の電力パラメータは、一部又は全部が独立して設定されることを特徴とする請求項９に記載の方法。
【請求項１４】
前記電力パラメータにおけるターゲット受信電力パラメータ及びパスロス補正係数は独立して設定され、且つ前記電力パラメータにおけるダイナミック電力調整値は共有して設定され、
又は、
前記電力パラメータにおけるターゲット受信電力パラメータ、パスロス補正係数、及びダイナミック電力調整値は独立して設定され、
又は、
前記電力パラメータにおけるターゲット受信電力パラメータは独立して設定され、且つ前記電力パラメータにおけるパスロス補正係数及びダイナミック電力調整値は共有して設定され、
又は、
前記電力パラメータにおけるターゲット受信電力パラメータ及びダイナミック電力調整値は独立して設定され、且つ前記電力パラメータにおけるパスロス補正係数は共有して設定され、
又は、
前記電力パラメータにおけるパスロス補正係数は独立して設定され、且つ前記電力パラメータにおけるターゲット受信電力パラメータ及びダイナミック電力調整値は共有して設定され、
又は、
前記電力パラメータにおけるパスロス補正係数及びダイナミック電力調整値は独立して設定され、且つ前記電力パラメータにおけるターゲット受信電力パラメータは共有して設定され、
又は、
前記電力パラメータにおけるダイナミック電力調整値は独立して設定され、且つ前記電力パラメータにおけるターゲット受信電力パラメータ及びパスロス補正係数は共有して設定され、
又は、
前記電力パラメータにおけるダイナミック電力調整値、ターゲット受信電力パラメータ及びパスロス補正係数は共有して設定されることを特徴とする請求項１３に記載の方法。
【請求項１５】
データ送信装置であって、
第１エリアにおいて第１電力を採用してデータを送信することに用いられる第１送信モジュールと、
第２エリアにおいて第２電力を採用してデータを送信することに用いられる第２送信モジュールと、を備え、
前記第１エリアと前記第２エリアは伝送リソースによって区分されることを特徴とするデータ送信装置。
【請求項１６】
前記第１エリアと前記第２エリアは時間領域リソースによって区分され、又は、
前記第１エリアと前記第２エリアは周波数領域リソースによって区分され、又は、
前記第１エリアと前記第２エリアは前記時間領域リソースと前記周波数領域リソースによって区分され、又は、
前記第１エリアと前記第２エリアは周波数領域帯域幅部分（ＢＷＰ）によって区分され、
前記時間領域リソースはシンボル、タイムスロット、及びサブフレームのうちの少なくとも１つを含み、前記周波数領域リソースは物理リソースブロック（ＰＲＢ）とリソースブロックグループ（ＲＢＧ）のうちの少なくとも１つを含むことを特徴とする請求項１５に記載の装置。
【請求項１７】
前記装置は更に、
アクセスネットワーク装置から送信されたエリア設定情報を受信することに用いられ、前記エリア設定情報は前記第１エリアと前記第２エリアの設定を示すことに用いられる情報受信モジュールを備えることを特徴とする請求項１５又は１６に記載の装置。
【請求項１８】
前記装置は更に、
アクセスネットワーク装置から送信されたエリア設定情報を受信することに用いられ、前記エリア設定情報は前記第１電力エリアと前記第２電力エリアの設定を示すことに用いられる情報受信モジュールと、
前記端末が前記アクセスネットワーク装置から送信された電力差値を受信することに用いられる差値受信モジュールと、を備え、
前記電力差値は第１電力の電力パラメータと第２電力の電力パラメータとの差値であることを特徴とする請求項１５又は１６に記載の装置。
【請求項１９】
前記電力差値は準静的に設定されることを特徴とする請求項１８に記載の装置。
【請求項２０】
前記第１電力の電力パラメータと前記第２電力の電力パラメータは、一部又は全部が独立して設定されることを特徴とする請求項１５に記載の装置。
【請求項２１】
前記電力パラメータにおけるターゲット受信電力パラメータ及びパスロス補正係数は独立して設定され、且つ前記電力パラメータにおけるダイナミック電力調整値は共有して設定され、
又は、
前記電力パラメータにおけるターゲット受信電力パラメータ、パスロス補正係数、及びダイナミック電力調整値は独立して設定され、
又は、
前記電力パラメータにおけるターゲット受信電力パラメータは独立して設定され、且つ前記電力パラメータにおけるパスロス補正係数及びダイナミック電力調整値は共有して設定され、
又は、
前記電力パラメータにおけるターゲット受信電力パラメータ及びダイナミック電力調整値は独立して設定され、且つ前記電力パラメータにおけるパスロス補正係数は共有して設定され、
又は、
前記電力パラメータにおけるパスロス補正係数は独立して設定され、且つ前記電力パラメータにおけるターゲット受信電力パラメータ及びダイナミック電力調整値は共有して設定され、
又は、
前記電力パラメータにおけるパスロス補正係数及びダイナミック電力調整値は独立して設定され、且つ前記電力パラメータにおけるターゲット受信電力パラメータは共有して設定され、
又は、
前記電力パラメータにおけるダイナミック電力調整値は独立して設定され、且つ前記電力パラメータにおけるターゲット受信電力パラメータ及びパスロス補正係数は共有して設定され、
又は、
前記電力パラメータにおけるダイナミック電力調整値、ターゲット受信電力パラメータ及びパスロス補正係数は共有して設定されることを特徴とする請求項２０に記載の装置。
【請求項２２】
データ受信装置であって、
第１エリアにおいて第１電力を採用してデータを送信することに用いられる第３送信モジュールと、
第２エリアにおいて第２電力を採用してデータを送信することに用いられる第４送信モジュールと、を備え、
前記第１エリアと前記第２エリアは伝送リソースによって区分されることを特徴とするデータ受信装置。
【請求項２３】
前記第１エリアと前記第２エリアは時間領域リソースによって区分され、又は、
前記第１エリアと前記第２エリアは周波数領域リソースによって区分され、又は、
前記第１エリアと前記第２エリアは前記時間領域リソースと前記周波数領域リソースによって区分され、又は、
前記第１エリアと前記第２エリアは周波数領域帯域幅部分（ＢＷＰ）によって区分され、
前記時間領域リソースはシンボル、タイムスロット、及びサブフレームのうちの少なくとも１つを含み、前記周波数領域リソースは物理リソースブロック（ＰＲＢ）とリソースブロックグループ（ＲＢＧ）のうちの少なくとも１つを含むことを特徴とする請求項２２に記載の装置。
【請求項２４】
前記装置は更に、
端末にエリア設定情報を送信することに用いられ、前記エリア設定情報は前記第１エリアと前記第２エリアの設定を示すことに用いられる情報送信モジュールを備えることを特徴とする請求項２２又は２３に記載の装置。
【請求項２５】
前記装置は更に、
端末にエリア設定情報を送信することに用いられ、前記エリア設定情報は前記第１エリアと前記第２エリアの設定を示すことに用いられる情報送信モジュールと、
前記端末に電力差値を送信することに用いられる差値送信モジュールと、を備え、
前記電力差値は第１電力の電力パラメータと第２電力の電力パラメータとの差値であることを特徴とする請求項２２又は２３に記載の装置。
【請求項２６】
前記電力差値は準静的に設定されることを特徴とする請求項２５に記載の装置。
【請求項２７】
前記第１電力の電力パラメータと前記第２電力の電力パラメータは、一部又は全部が独立して設定されることを特徴とする請求項２３に記載の装置。
【請求項２８】
前記電力パラメータにおけるターゲット受信電力パラメータ及びパスロス補正係数は独立して設定され、且つ前記電力パラメータにおけるダイナミック電力調整値は共有して設定され、
又は、
前記電力パラメータにおけるターゲット受信電力パラメータ、パスロス補正係数、及びダイナミック電力調整値は独立して設定され、
又は、
前記電力パラメータにおけるターゲット受信電力パラメータは独立して設定され、且つ前記電力パラメータにおけるパスロス補正係数及びダイナミック電力調整値は共有して設定され、
又は、
前記電力パラメータにおけるターゲット受信電力パラメータ及びダイナミック電力調整値は独立して設定され、且つ前記電力パラメータにおけるパスロス補正係数は共有して設定され、
又は、
前記電力パラメータにおけるパスロス補正係数は独立して設定され、且つ前記電力パラメータにおけるターゲット受信電力パラメータ及びダイナミック電力調整値は共有して設定され、
又は、
前記電力パラメータにおけるパスロス補正係数及びダイナミック電力調整値は独立して設定され、且つ前記電力パラメータにおけるターゲット受信電力パラメータは共有して設定され、
又は、
前記電力パラメータにおけるダイナミック電力調整値は独立して設定され、且つ前記電力パラメータにおけるターゲット受信電力パラメータ及びパスロス補正係数は共有して設定され、
又は、
前記電力パラメータにおけるダイナミック電力調整値、ターゲット受信電力パラメータ及びパスロス補正係数は共有して設定されることを特徴とする請求項２７に記載の装置。
【請求項２９】
端末であって、プロセッサとメモリを備え、前記メモリには少なくとも１つの命令が記憶され、前記少なくとも１つの命令は前記プロセッサに実行されることによって上記請求項１〜７のいずれか１つに記載のデータ送信方法を実現することに用いられることを特徴とする端末。
【請求項３０】
アクセスネットワーク装置であって、プロセッサとメモリを備え、前記メモリには少なくとも１つの命令が記憶され、前記少なくとも１つの命令は前記プロセッサに実行されることによって上記請求項８〜１４のいずれか１つに記載のデータ送信方法を実現することに用いられることを特徴とするアクセスネットワーク装置。
【請求項３１】
コンピュータ可読記憶媒体であって、少なくとも１つの命令を記憶し、前記少なくとも１つの命令はプロセッサに実行されることによって上記請求項１〜７のいずれか１つに記載のデータ送信方法を実現することに用いられることを特徴とするコンピュータ可読記憶媒体。
【請求項３２】
コンピュータ可読記憶媒体であって、少なくとも１つの命令を記憶し、前記少なくとも１つの命令はプロセッサに実行されることによって上記請求項８〜１４のいずれか１つに記載のデータ送信方法を実現することに用いられることを特徴とするコンピュータ可読記憶媒体。
【請求項３３】
通信システムであって、端末とアクセスネットワーク装置を備え、
前記端末は請求項２９に記載の端末であり、
前記アクセスネットワーク装置は請求項３０に記載のアクセスネットワーク装置であることを特徴とする通信システム。
【発明の詳細な説明】
【技術分野】
【０００１】
本願実施例は通信分野に関し、特にデータ送信方法、装置、及びシステムに関する。
【背景技術】
【０００２】
第５世代移動通信（５Ｇ、Ｔｈｅ  ５ｔｈ  ｇｅｎｅｒａｔｉｏｎ）技術には超高信頼低遅延通信（ＵＲＬＬＣ、Ｕｌｔｒａ  Ｒｅｌｉａｂｌｅ  ＬｏｗＬａｔｅｎｃｙ  Ｃｏｍｍｕｎｉｃａｔｉｏｎ）が導入されている。
【０００３】
ダウンリンクサービスデータを送信する場合、基地局はリソースプリエンプションの方式を採用してＵＲＬＬＣデータを送信し、即ち、現在ＵＲＬＬＣデータを送信する必要がある場合、拡張モバイルブロードバンド（ｅＭＢＢ、ｅｎｈａｎｃｅ  Ｍｏｂｉｌｅ  Ｂｒｏａｄｂａｎｄ）サービスの一部のリソースを占有して送信を行い、それによってＵＲＬＬＣサービスの遅延を低減する。
【０００４】
しかし、アップリンクプロセスについては、アップリンクサービスデータは端末によって送信されるため、基地局がリアルタイムで調整する場合、追加のシグナリングオーバーヘッドが導入される必要があり、その結果、端末は送信された制御信号を頻繁に検出する必要があり、端末の消費電力が増加する。
【発明の概要】
【発明が解決しようとする課題】
【０００５】
本願実施例はデータ送信方法、装置、及びシステムを提供し、端末が送信された制御信号を頻繁に検出する必要があるため、端末の消費電力が増加するという問題を解決できる。
【課題を解決するための手段】
【０００６】
本願の第１態様によれば、データ送信方法を提供し、前記方法は、
端末が第１エリアにおいて第１電力を採用してデータを送信することと、
前記端末が第２エリアにおいて第２電力を採用してデータを送信することと、を含み、
前記第１エリアと前記第２エリアは伝送リソースによって区分される。
【０００７】
本願の第２態様によれば、データ送信方法を提供し、前記方法は、
アクセスネットワーク装置は第１エリアにおいて、端末が第１電力を採用して送信したデータを受信することと、
前記アクセスネットワーク装置は第２エリアにおいて、前記端末が第２電力を採用して送信したデータを受信することと、を含み、
前記第１エリアと前記第２エリアは伝送リソースによって区分される。
【０００８】
本願の第３態様によれば、データ送信装置を提供し、前記装置は、
第１エリアにおいて第１電力を採用してデータを送信することに用いられる第１送信モジュールと、
第２エリアにおいて第２電力を採用してデータを送信することに用いられる第２送信モジュールと、を備え、
前記第１エリアと前記第２エリアは伝送リソースによって区分される。
【０００９】
本願の第４態様によれば、データ送信装置を提供し、前記装置は、
第１エリアにおいて端末が第１電力を採用して送信したデータを受信することに用いられる第１受信モジュールと、
第２エリアにおいて前記端末が第２電力を採用して送信したデータを受信することに用いられる第２受信モジュールと、を備え、
前記第１エリアと前記第２エリアは伝送リソースによって区分される。
【００１０】
本願の第５態様によれば、端末を提供し、前記端末はプロセッサとメモリを備え、前記メモリには少なくとも１つの命令が記憶され、前記少なくとも１つの命令は、前記プロセッサに実行されることによって、上記第１態様に記載のデータ送信方法を実現することに用いられる。
【００１１】
本願の第６態様によれば、アクセスネットワーク装置を提供し、前記アクセスネットワーク装置はプロセッサとメモリを備え、前記メモリには少なくとも１つの命令が記憶され、前記少なくとも１つの命令は、前記プロセッサに実行されることによって、上記第２態様に記載のデータ送信方法を実現することに用いられる。
【００１２】
本願の第７態様によれば、コンピュータ可読記憶媒体を提供し、前記記憶媒体には少なくとも１つの命令が記憶され、前記少なくとも１つの命令は、プロセッサに実行されることによって、上記第１態様に記載のデータ送信方法を実現することに用いられる。
【００１３】
本願の第８態様によれば、コンピュータ可読記憶媒体を提供し、前記記憶媒体には少なくとも１つの命令が記憶され、前記少なくとも１つの命令は、プロセッサに実行されることによって、上記第２態様に記載のデータ送信方法を実現することに用いられる。
【００１４】
本願の第９態様によれば、通信システムを提供し、前記システムは端末とアクセスネットワーク装置を備え、前記端末は第５態様に記載の端末であり、前記アクセスネットワーク装置は第６態様に記載のアクセスネットワーク装置である。
【発明の効果】
【００１５】
本願実施例による技術案の有益な効果は、
伝送リソースにおける異なるエリアが設定されることによって、端末は異なるエリアで相応の電力を採用してデータ送信を行うことができ、それによって、端末がアップリンクデータを送信する過程において頻繁に制御信号を検出するということが避けられ、これにより端末の消費電力が低減され、そして、異なる電力を採用してデータ伝送を行うことは、通信システムにおける端末とアクセスネットワーク装置との間のデータ伝送の信頼性と効率の向上に寄与する、ということである。
【図面の簡単な説明】
【００１６】
本願実施例における技術案をより明確に説明するために、以下では実施例の説明に使用必要な図面を簡単に説明する。明らかに、以下説明する図面は本願の一部の実施例のみであり、当業者にとって、創造的な労力を要することなく、これらの図面に基づいて更に他の図面を取得することができる。
【００１７】
【図１】図１は本願の１つの模式的な実施例による通信ネットワークの構造模式図である。
【図２】図２は本願の１つの模式的な実施例によるデータ送信方法のフローチャートである。
【図３】図３は本願の１つの模式的な実施例によるデータ送信方法のフローチャートである。
【図４】図４は本願の他の模式的な実施例によるデータ送信方法のフローチャートである。
【図５】図５は本願の他の模式的な実施例によるデータ送信方法のフローチャートである。
【図６】図６は本願の１つの例示的な実施例によるデータ送信装置のブロック図を示す。
【図７】図７は本願の１つの例示的な実施例によるデータ送信装置のブロック図を示す。
【図８】図８は本願の１つの例示的な実施例による端末の構造模式図を示す。
【図９】図９は本願の１つの例示的な実施例によるアクセスネットワーク装置の構造模式図を示す。
【発明を実施するための形態】
【００１８】
本願の目的、技術案及びそのメリットをより明確にするために、以下は図面を参照しながら本願の実施形態をより詳しく説明する。
【００１９】
本明細書に言及される「モジュール」とは、通常、メモリに記憶される、ある機能を実現できるプログラム又は命令を指し、本明細書に言及される「ユニット」とは、通常、論理的に分割された機能的な構造を指し、該「ユニット」は完全にハードウェアによって実現されてもよく、又は、ソフトウェアとハードウェアの組み合わせによって実現されてもよい。
【００２０】
本明細書に言及される「複数」とは２つ以上を意味する。「及び／又は」は関連するオブジェクトの関連関係を説明し、３つの関係が存在し得ることを表し、例えば、Ａ及び／又はＢは、Ａが単独に存在すること、ＡとＢが同時に存在すること、Ｂが単独に存在すること、という３つの状況を表すことができる。文字「／」は一般的に前後の関連オブジェクトが「又は」の関係であることを表す。本願明細書及び特許請求の範囲で使用される「第１」、「第２」、及びそれに類似する言葉は、何かの順序、数量、又は重要性を表すものではなく、単に異なる構成部分を区別するためのものである。
【００２１】
図１は本願の１つの実施例による移動通信システムの構造模式図を示す。該移動通信システムは５Ｇシステムであってもよく、ＮＲシステムとも称される。該移動通信システムはアクセスネットワーク装置１２０と端末１４０を備える。
【００２２】
アクセスネットワーク装置１２０は基地局であってもよい。例えば、基地局は５Ｇシステムにおける、集中・分散型アーキテクチャが採用された基地局（ｇＮＢ）であってもよい。アクセスネットワーク装置１２０に集中・分散型アーキテクチャが採用された場合、通常、集中ユニット（ＣＵ、ｃｅｎｔｒａｌ  ｕｎｉｔ）と少なくとも２つの分散ユニット（ＤＵ、ｄｉｓｔｒｉｂｕｔｅｄ  ｕｎｉｔ）を備える。集中ユニットには、パケットデータ統合プロトコル（ＰＤＣＰ、Ｐａｃｋｅｔ  Ｄａｔａ  Ｃｏｖｅｒｇｅｎｃｅ  Ｐｒｏｔｏｃｏｌ）層、無線リンク層制御プロトコル（ＲＬＣ、Ｒａｄｉｏ  Ｌｉｎｋ  Ｃｏｎｔｒｏｌ）層、メディアアクセス制御（ＭＡＣ、Ｍｅｄｉａ  Ａｃｃｅｓｓ  Ｃｏｎｔｒｏｌ）層のプロトコルスタックが設けられ、分散ユニットには物理（ＰＨＹ、Ｐｈｙｓｉｃａｌ）層プロトコルスタックが設けられ、本願実施例はアクセスネットワーク装置１２０の具体的な実現方式を限定しない。選択肢として、アクセスネットワーク装置は更にホーム基地局（ＨｅＮＢ、Ｈｏｍｅ  ｅＮＢ）、中継（Ｒｅｌａｙ）、ピコ基地局（Ｐｉｃｏ）等を含んでもよい。アクセスネットワーク装置１２０は更にネットワーク側装置と称されてもよい。
【００２３】
アクセスネットワーク装置１２０と端末１４０は無線エアインタフェースを介して無線接続を確立する。選択肢として、該無線エアインタフェースは第５世代の移動通信ネットワーク技術（５Ｇ）基準に基づく無線エアインタフェースであり、例えば、該無線エアインタフェースは新しいエアインタフェース（ＮＲ、Ｎｅｗ  Ｒａｄｉｏ）であり、又は、該無線エアインタフェースは５Ｇよりも更に次の世代の移動通信ネットワーク技術基準に基づく無線エアインタフェースであってもよい。
【００２４】
端末１４０とはユーザに音声及び／又はデータ接続を提供する装置を指してもよい。端末は無線アクセスネットワーク（ＲＡＮ、Ｒａｄｉｏ  Ａｃｃｅｓｓ  Ｎｅｔｗｏｒｋ）経由で１つ又は複数のコアネットワークと通信してもよく、端末１４０はモバイル端末、例えば、携帯電話（又は「セルラー方式」電話と称される）、及びモバイル端末を有するコンピュータであってもよい。
【００２５】
なお、図１に示す移動通信システムには、複数のアクセスネットワーク装置１２０及び／又は複数の端末１４０が備えられてもよく、図１には、例として、１つのアクセスネットワーク装置１２０及び１つの端末１４０を示すが、本実施例はこれを限定しない。
【００２６】
図２は本願の１つの例示的な実施例によるデータ送信方法のフローチャートを示す。本実施例は該方法が図１に記載の端末に適用されることを例として説明する。該方法は、
端末が第１エリアにおいて第１電力を採用してデータを送信するステップ２０１と、
端末が第２エリアにおいて第２電力を採用してデータを送信し、第１エリアと第２エリアが伝送リソースによって区分されるステップ２０２と、を含む。
【００２７】
選択肢として、第１エリアと第２エリアは、アクセスネットワーク装置が伝送リソースを区分することで取得した論理的なエリアであり、該伝送リソースは時間領域リソース及び／又は周波数領域リソースを含む。
【００２８】
１つの可能な実施形態では、以下幾つかの方式のいずれか１つを採用して第１エリアと第２エリアを区分する。
【００２９】
１、時間領域リソースによって第１エリアと第２エリアを区分する。
【００３０】
選択肢として、アクセスネットワーク装置は時間領域リソースに基づいてエリアを区分し、該時間領域リソースはシンボル（ｓｙｍｂｏｌ）、タイムスロット（ｓｌｏｔ）、及びサブフレーム（ｓｕｂｆｒａｍｅ）のうちの少なくとも１つを含む。
【００３１】
選択肢として、第１エリアと第２エリアそれぞれの占有する時間領域リソースの数量は同じ又は異なる。
【００３２】
例えば、アクセスネットワーク装置はタイムスロットでエリアを区分する場合、サブフレームにおける１番目のタイムスロットを第１エリアに区分し、サブフレームにおける２番目のタイムスロットを第２エリアに区分してもよい。
【００３３】
勿論、エリアの区分は更に他のタイプの時間領域リソースに基づいてもよく、本実施例はこれを限定しない。
【００３４】
２、周波数領域リソースによって第１エリアと第２エリアを区分する。
【００３５】
選択肢として、アクセスネットワーク装置は周波数領域リソースに基づいてエリアを区分し、該周波数領域リソースは物理リソースブロック（ＰＲＢ、Ｐｈｙｓｉｃａｌ  Ｒｅｓｏｕｒｃｅ  Ｂｌｏｃｋ）とリソースブロックグループ（ＲＢＧ、Ｒｅｓｏｕｒｃｅ  Ｂｌｏｃｋ  Ｇｒｏｕｐ）のうちの少なくとも１つを含む。
【００３６】
選択肢として、第１エリアと第２エリアそれぞれの占有する周波数領域リソースの数量は同じ又は異なる。
【００３７】
例えば、アクセスネットワーク装置は物理リソースブロックでエリアを区分する場合、１〜５０番目の物理リソースブロックを第１エリアに区分し、５１〜１００番目の物理リソースブロックを第２エリアに区分してもよい。
【００３８】
勿論、エリアの設定は更に他のタイプの周波数領域リソースに基づいてもよく、本実施例はこれを限定しない。
【００３９】
３、時間領域リソース及び周波数領域リソースによって第１エリアと第２エリアを区分する。
【００４０】
選択肢として、単独に周波数領域リソース又は時間領域リソースに基づいてエリアを区分するほか、アクセスネットワーク装置は更に、同時に時間領域リソースと周波数領域リソースに基づいてエリアを区分してもよい。
【００４１】
選択肢として、アクセスネットワーク装置は同時にタイムスロットと物理リソースブロックに基づいて第１エリアと第２エリアを設定する。
【００４２】
４、周波数領域帯域幅部分（ＢＷＰ、Ｂａｎｄ  Ｗｉｄｔｈ  Ｐａｒｔ）によって第１エリアと第２エリアを区分する。
【００４３】
ＢＷＰとは、所定のパラメータセットと所定のキャリアでの連続した物理リソースブロックのセットを指す。
【００４４】
１つの可能な実施形態では、アクセスネットワーク装置は利用可能な帯域幅において、異なるエリアにそれぞれ対応する少なくとも２つのＢＷＰを端末に設定する。例えば、本実施例では、アクセスネットワーク装置は第１エリアと第２エリアにそれぞれ対応するＢＷＰ１とＢＷＰ２を端末に設定する。
【００４５】
選択肢として、２つのＢＷＰが設定された場合、２つのＢＷＰに対応する時間周波数領域リソースは異なり、例えば、ＢＷＰ１はＰＲＢ１−５０に対応し、ＢＷＰ２はＰＲＢ５１−５５に対応し、又は、２つのＢＷＰに対応する時間周波数領域リソースは同じであるが、対応するサブキャリア間隔が異なり、例えば、ＢＷＰ１とＢＷＰ２はいずれもＰＲＢ５１−５５に対応するが、ＢＷＰ１に対応するサブキャリア間隔は６０ＫＨｚであり、ＢＷＰ２に対応するサブキャリア間隔は１５ＫＨｚである。
【００４６】
選択肢として、本願実施例は２つのエリアのみを設定することを例として説明するが、他の可能な実施形態では少なくとも３つのエリアが設定されてもよく、本願はエリアの具体的な数量について限定しない。
【００４７】
選択肢として、アクセスネットワーク装置は第１エリアと第２エリアの設定を示すエリア設定情報を端末に送信し、これにより、端末は該エリア設定情報に基づいて第１エリアと第２エリアを決定する。
【００４８】
選択肢として、アクセスネットワーク装置から送信されたエリア設定情報は更に第１エリアと第２エリアの区分方式及び設定情報を示すことに用いられ、例えば、ＢＷＰによって異なるエリアを設定する場合、該エリア設定情報にはＢＷＰサブキャリア間隔等の設定情報が含まれる。
【００４９】
選択肢として、第１電力と第２電力の電力パラメータはアクセスネットワーク装置によって設定され、該電力パラメータは実際の電力値を採用して表示されてもよく、電力スペクトル密度（ＰＳＤ、Ｐｏｗｅｒ  Ｓｐｅｃｔｒａｌ  Ｄｅｎｓｉｔｙ）を採用して表示されてもよい。
【００５０】
１つの可能か応用シーンでは、端末はアクセスネットワーク装置のスケジューリングで、第１エリアにおいて低電力でサービスデータを送信し、又は、第２エリアにおいて高電力でサービスデータを送信する。端末がアクセスネットワーク装置のスケジューリングで優先度の高いサービスデータを送信する場合、優先度の高いサービスデータの伝送遅延を低減するために、端末は第１エリアにおいて、リソースプリエンプションの方式によって優先度の高いサービスデータを送信し、そして、伝送の信頼性を確保するために、優先度の高いサービスデータは高電力で送信される。低電力と高電力はプロトコルによって約束されてもよく、アクセスネットワーク装置によって示されてもよい。
【００５１】
選択肢として、１つの実際の応用のシーンでは、上記方法が５ＧにおけるｅＭＢＢサービス及びＵＲＬＬＣサービスのアップリンクデータ送信のシーンに適用される場合、端末はアクセスネットワーク装置のスケジューリングで、第１エリアにおいて第１電力（即ち低電力）でｅＭＢＢサービスデータを送信し、第２エリアにおいて第２電力（即ち通常電力）でｅＭＢＢサービスデータを送信し、端末がアクセスネットワーク装置のスケジューリングでＵＲＬＬＣサービスデータを送信する場合、ＵＲＬＬＣサービスデータの伝送遅延を低減するために、端末は第１エリアを選択してｅＭＢＢサービスのリソースをプリエンプトすることによってＵＲＬＬＣサービスデータを送信し、そしてＵＲＬＬＣサービスの高信頼性を確保するために、端末は第１エリアにおいて第３電力（第１電力より大きく、第２電力と同じ又は異なる）でＵＲＬＬＣサービスデータを送信する。
【００５２】
上記のように、本実施例では、伝送リソースにおける異なるエリアが設定されることによって、端末は異なるエリアにおいて相応の電力でデータ送信を行うことができ、それによって、端末がアップリンクデータを送信する過程において頻繁に制御信号を検出するということが避けられ、これにより、端末の消費電力が低減され、そして、異なる電力でデータ伝送を行うことは、通信システムにおける端末とアクセスネットワーク装置との間のデータ伝送の信頼性と効率の向上に寄与する。
【００５３】
図３は本願の１つの例示的な実施例によるデータ送信方法のフローチャートを示す。本実施例は該方法が図１に記載のアクセスネットワーク装置に適用されることを例として説明する。該方法は以下のステップ３０１〜３０２を含む。
【００５４】
ステップ３０１、アクセスネットワーク装置は第１エリアにおいて第１電力を採用してデータを送信する。
【００５５】
アクセスネットワーク装置は伝送リソースによって第１エリアと第２エリア（論理的なエリア）を区分し、伝送リソースは時間領域リソース及び／又は周波数領域リソースを含む。
【００５６】
選択肢として、アクセスネットワーク装置がエリアを区分する方式は、
１、時間領域リソースによって第１エリアと第２エリアを区分すること、
２、周波数領域リソースによって第１エリアと第２エリアを区分すること、
３、時間領域リソース及び周波数領域リソースによって第１エリアと第２エリアを区分すること、
４、周波数領域帯域幅部分（ＢＷＰ、Ｂａｎｄ  Ｗｉｄｔｈ  Ｐａｒｔ）によって第１エリアと第２エリアを区分すること、を含む。
【００５７】
具体的な区分方式についてはステップ２０２での詳しい記載を参照でき、本実施例はここで繰り返して説明しない。
【００５８】
ステップ３０２、アクセスネットワーク装置は第２エリアにおいて第２電力を採用してデータを送信し、第１エリアと第２エリアは伝送リソースによって区分される。
【００５９】
区分されたエリアに基づいて、アクセスネットワーク装置は相応のエリアにおいて対応する電力を採用してダウンリンクデータを送信する。
【００６０】
１つの可能な実施形態では、アクセスネットワーク装置は第１エリアにおいて低電力でデータを送信し、第２エリアにおいて高電力でデータを送信する。
【００６１】
選択肢として、１つの実際の応用のシーンでは、上記方法が５ＧにおけるｅＭＢＢサービス及びＵＲＬＬＣサービスのダウンリンクデータ送信のシーンに適用される場合、アクセスネットワーク装置は第１エリアにおいて第１電力（例えば、低電力）でｅＭＢＢサービスデータを送信し、第２エリアにおいて第２電力（例えば、通常電力であり、且つ第１電力より高い）でｅＭＢＢサービスデータを送信する。
【００６２】
選択肢として、アクセスネットワーク装置がＵＲＬＬＣサービスをスケジューリングする必要がある場合、ＵＲＬＬＣサービスデータの伝送遅延を低減するために、アクセスネットワーク装置は第１エリアを選択して、ｅＭＢＢサービスのリソースをプリエンプトすることによってＵＲＬＬＣサービスデータを送信し、そしてＵＲＬＬＣサービスの高信頼性を確保するために、アクセスネットワーク装置は第１エリアにおいて第３電力（第１電力より大きく、第２電力と同じ又は異なる）でＵＲＬＬＣサービスデータを送信する。
【００６３】
選択肢として、類似する方式でアップリンクデータを送信するように端末に指示するために、アクセスネットワーク装置はエリア設定に基づいて、端末にエリア設定情報を送信し、アクセスネットワーク装置はブロードキャストの方式でエリア設定情報を送信してもよい。
【００６４】
アクセスネットワーク装置は、端末が異なるエリアにおいて相応の電力でアップリンクデータを送信するように、異なるエリアにおいてデータを送信する電力を更に端末に示す。選択肢として、アクセスネットワーク装置は第１電力の電力パラメータと第２電力の電力パラメータとの差値を端末に送信し、又は、アクセスネットワーク装置は第１電力と第２電力の電力パラメータを一部又は全部で独立して設定する。
【００６５】
更に、端末はアクセスネットワーク装置のスケジューリングで、第１エリアにおいて第１電力を採用してデータを送信し、第２エリアにおいて第２電力を採用してデータを送信し、それに対応して、アクセスネットワーク装置は第１エリア及び／又は第２エリアにおいて端末から送信されたデータを受信する。
【００６６】
受信したデータについて、選択肢として、アクセスネットワーク装置は伝送時間間隔（ＴＴＩ、Ｔｒａｎｓｍｉｓｓｉｏｎ  Ｔｉｍｅ  Ｉｎｔｅｒｖａｌ）の長さ、制御リソースセット（ＣＯＲＥＳＥＴ、Ｃｏｎｔｒｏｌ  Ｒｅｓｏｕｒｃｅ  ｓｅｔ）、又は物理ダウンリンク制御チャネルフォーマット（ＰＤＣＣＨ  Ｆｏｒｍａｔ、Ｐｈｙｓｉｃａｌ  Ｄｏｗｎｌｉｎｋ  Ｃｏｎｔｒｏｌ  Ｃｈａｎｎｅｌ  Ｆｏｒｍａｔ）に基づいて、受信したデータを区分し、例えば、アクセスネットワーク装置はＴＴＩ長さに基づいてｅＭＢＢデータとＵＲＬＬＣデータを区分する。本実施例はアクセスネットワーク装置がデータタイプを区分する方式について限定しない。
【００６７】
上記のように、本実施例では、伝送リソースにおける異なるエリアが設定されることによって、端末は異なるエリアにおいて相応の電力でデータ送信を行うことができ、それによって、端末がアップリンクデータを送信する過程において頻繁に制御信号を検出するということが避けられ、これにより、端末の消費電力が低減され、そして、異なる電力でデータ伝送を行うことは、通信システムにおける端末とアクセスネットワーク装置との間のデータ伝送の信頼性と効率の向上に寄与する。
【００６８】
図４は本願の他の例示的な実施例によるデータ送信方法のフローチャートを示す。本実施例は該方法が図１に記載の通信システムに適用されることを例として説明する。該方法は以下のステップ４０１〜４０６を含む。
【００６９】
ステップ４０１、アクセスネットワーク装置は第１エリアと第２エリアの設定を示すためのエリア設定情報を端末に送信する。
【００７０】
選択肢として、該エリア設定情報には時間領域設定情報、周波数領域設定情報、又は時間周波数領域設定情報が含まれる。
【００７１】
選択肢として、アクセスネットワーク装置はブロードキャストの方式によって各端末にエリア設定情報を送信し、これにより、アクセスした各端末はいずれもエリアの設定を知ることができる。
【００７２】
１つの可能な実施形態では、物理リソースブロックに基づいて異なるエリアを設定する場合、アクセスネットワーク装置が端末に送信するエリア設定情報はＰｏｗｅｒ＿ｐａｒａｍｅｔｅｒ（ｎ＿ＰＲＢ）＝｛０，１｝というフォーマットを採用してもよく、ｎ＿ＰＲＢはｎ番目の物理リソースブロックを示すことに用いられ、０は物理リソースブロックが第１エリアに属することを表し、１は物理リソースブロックが第２エリアに属することを表す。
【００７３】
それに類似して、タイムスロットに基づいて異なるエリアを設定する場合、アクセスネットワーク装置が端末に送信するエリア設定情報はＰｏｗｅｒ＿ｐａｒａｍｅｔｅｒ（ｎ＿ｓｌｏｔ）＝｛０，１｝というフォーマットを採用してもよく、ｎ＿ｓｌｏｔはｎ番目のタイムスロットを示すことに用いられ、０はタイムスロットが第１エリアに属することを表し、１はタイムスロットが第２エリアに属することを表す。
【００７４】
セル間の干渉を低減してデータ伝送の品質を高めるために、１つの可能な実施形態では、アクセスネットワーク装置間でエリア設定情報の交換が行われ、それによって、隣接するアクセスネットワーク装置のエリア設定情報に基づいて自体のエリア設定を調整して、調整後のエリア設定情報を端末に送信する。例えば、アクセスネットワーク装置Ａがアクセスネットワーク装置Ｂに送信したエリア設定情報ＡはＰｏｗｅｒ＿ｐａｒａｍｅｔｅｒ（ＰＲＢ１）＝｛０｝、Ｐｏｗｅｒ＿ｐａｒａｍｅｔｅｒ（ＰＲＢ２）＝｛１｝であり、即ち、アクセスネットワーク装置Ａは１番目の物理リソースブロックを第１エリアに区分し、２番目の物理リソースブロックを第２エリアに区分し、そこで、アクセスネットワーク装置Ｂは自体のエリア設定情報ＢをＰｏｗｅｒ＿ｐａｒａｍｅｔｅｒ（ＰＲＢ１）＝｛１｝、Ｐｏｗｅｒ＿ｐａｒａｍｅｔｅｒ（ＰＲＢ２）＝｛０｝に調整する。
【００７５】
ステップ４０２、端末はアクセスネットワーク装置から送信されたエリア設定情報を受信する。
【００７６】
ステップ４０３、アクセスネットワーク装置は第１電力の電力パラメータと第２電力の電力パラメータとの差値である電力差値を端末に送信する。
【００７７】
第１エリアと第２エリアでのデータ送信の干渉を低減するために、端末は異なるエリアにおいて異なる電力でデータを送信する必要があり、それに対応して、エリア設定を示すと同時に、アクセスネットワーク装置は更に異なるエリアでのデータの送信電力を端末に示す必要がある。
【００７８】
選択肢として、アクセスネットワーク装置は第１エリアと第２エリアとの電力差値を端末に送信する。該電力パラメータは実際の電力値又は電力スペクトル密度で表してもよい。
【００７９】
選択肢として、アクセスネットワーク装置は更に設定した電力パラメータを端末に送信し、これにより、端末は該電力パラメータ及び電力差値に基づいて第１電力と第２電力を決定する。アクセスネットワーク装置が送信した電力パラメータはターゲット受信電力パラメータ、パスロス補正係数、及びダイナミック電力調整値のうちの少なくとも１つを含む。
【００８０】
選択肢として、電力パラメータは以下の幾つかの設定方式を含む。
【００８１】
１、電力パラメータにおけるパスロス補正係数は独立して設定され、且つ電力パラメータにおけるターゲット受信電力パラメータ及びダイナミック電力調整値は共有して設定される。
【００８２】
この設定方式を採用する場合、アクセスネットワーク装置はそれぞれのパスロス補正係数を各エリアにそれぞれ設定し、統一したターゲット受信電力パラメータ及びダイナミック電力調整値を各エリアに設定し、即ち、異なるエリアは異なるパスロス補正係数を有するが、同じターゲット受信電力パラメータ及びダイナミック電力調整値を有する。
【００８３】
２、電力パラメータにおけるパスロス補正係数及びダイナミック電力調整値は独立して設定され、且つ電力パラメータにおけるターゲット受信電力パラメータは共有して設定される。
【００８４】
この設定方式を採用する場合、アクセスネットワーク装置はそれぞれのパスロス補正係数及びダイナミック電力調整値を各エリアにそれぞれ設定し、統一したターゲット受信電力パラメータを各エリアに設定し、即ち、異なるエリアは異なるパスロス補正係数及びダイナミック電力調整値を有するが、同じターゲット受信電力パラメータを有する。
【００８５】
３、電力パラメータにおけるダイナミック電力調整値は独立して設定され、且つ電力パラメータにおけるターゲット受信電力パラメータ及びパスロス補正係数は共有して設定される。
【００８６】
この設定方式を採用する場合、アクセスネットワーク装置はそれぞれのダイナミック電力調整値を各エリアにそれぞれ設定し、統一したターゲット受信電力パラメータ及びパスロス補正係数を各エリアに設定し、即ち、異なるエリアは異なるダイナミック電力調整値を有するが、同じターゲット受信電力パラメータ及びパスロス補正係数を有する。
【００８７】
上記の３つの方式で電力パラメータを設定する場合、異なるシーン、サービス、データタイプに対して区別した電力制御を行うことができ、更に電力パラメータを設定する時のシグナリングオーバーヘッドを低減できる（共有の設定が存在するため）。
【００８８】
４、電力パラメータにおけるダイナミック電力調整値、ターゲット受信電力パラメータ及びパスロス補正係数は共有して設定される。
【００８９】
この設定方式を採用する場合、アクセスネットワーク装置は統一したターゲット受信電力パラメータ、パスロス補正係数、及びダイナミック電力調整値を各エリアに設定し、即ち、異なるエリアは同じターゲット受信電力パラメータ、パスロス補正係数、及びダイナミック電力調整値を有する。
【００９０】
この方式で電力パラメータを設定する場合、異なるエリアが設定パラメータを共有するため、電力パラメータを設定する時のシグナリングオーバーヘッドは最も低いレベルに低減される。その後のプロセスでは、端末はアクセスネットワーク装置によって設定された電力差値に基づいて、異なるシーン、サービス、データタイプに対して区別した電力制御を行う。
【００９１】
５、電力パラメータにおけるターゲット受信電力パラメータ及びパスロス補正係数は独立して設定され、且つ電力パラメータにおけるダイナミック電力調整値は共有して設定される。
【００９２】
この設定方式を採用する場合、アクセスネットワーク装置はそれぞれのターゲット受信電力パラメータ及びパスロス補正係数を各エリアにそれぞれ設定し、ダイナミック電力調整値を各エリアに共有させ、即ち、異なるエリアは異なるターゲット受信電力パラメータ及び異なるパスロス補正係数を有するが、同じダイナミック電力調整値を有する。
【００９３】
この設定方式を採用する場合、異なるシーン、サービス及びデータタイプに対して区別して電力制御を行うことができ、それと同時に、共有したダイナミック電力調整値に基づいてチャネルの変化情況をリアルタイムに追跡できる。
【００９４】
６、電力パラメータにおけるターゲット受信電力パラメータ、パスロス補正係数、及びダイナミック電力調整値は独立して設定される。
【００９５】
この設定方式を採用する場合、アクセスネットワーク装置はそれぞれのターゲット受信電力パラメータ、パスロス補正係数、及びダイナミック電力調整値を各エリアにそれぞれ設定し、即ち、異なるエリアは異なるターゲット受信電力パラメータ、異なるパスロス補正係数、及び異なるダイナミック電力調整値を有する。
【００９６】
この設定方式を採用する場合、それぞれの電力パラメータを各エリアにそれぞれ設定するため、異なるシーン、サービス、データタイプに対して、区別してより精確な電力制御を行うことができる（但し、シグナリングオーバーヘッドもそれに伴って増加する）。
【００９７】
７、電力パラメータにおけるターゲット受信電力パラメータは独立して設定され、且つ電力パラメータにおけるパスロス補正係数及びダイナミック電力調整値は共有して設定される。
【００９８】
この設定方式を採用する場合、アクセスネットワーク装置はそれぞれのターゲット受信電力パラメータを各エリアにそれぞれ設定し、統一したダイナミック電力調整値及びパスロス補正係数を各エリアに設定し、即ち、異なるエリアは異なるターゲット受信電力パラメータを有するが、同じダイナミック電力調整値及び異なるパスロス補正係数を有する。
【００９９】
この設定方式を採用する場合、ターゲット受信電力パラメータのみを独立して設定し、即ち、異なるシーン、サービス、データタイプに対して区別して電力制御を行い、それと同時に、電力パラメータ設定のシグナリングオーバーヘッドを低減する。
【０１００】
８、電力パラメータにおけるターゲット受信電力パラメータ及びダイナミック電力調整値は独立して設定され、且つ電力パラメータにおけるパスロス補正係数は共有して設定される。
【０１０１】
この設定方式を採用する場合、アクセスネットワーク装置はそれぞれのターゲット受信電力パラメータ及びダイナミック電力調整値を各エリアにそれぞれ設定し、統一したパスロス補正係数を各エリアに設定し、即ち、異なるエリアは異なるターゲット受信電力パラメータ及び異なるダイナミック電力調整値を有するが、同じパスロス補正係数を有する。選択肢として、電力差が大き過ぎて、ダイナミックシグナリングの追跡ができなくなることを避けるために、アクセスネットワーク装置は準静的設定の方式で電力差値を設定する。例えば、アクセスネットワーク装置は所定の時間間隔ごとに、端末に電力差値を送信し、端末はアクセスネットワーク装置が電力差値を次に送信するまでに、現在受信した電力差値を記憶して使用する。
【０１０２】
なお、ステップ４０１とステップ４０３の間には厳格な順序がなく、即ち、ステップ４０１とステップ４０３は同時に実行されてもよく、本実施例は両者の実行時間順序を限定しない。
【０１０３】
ステップ４０４、端末はアクセスネットワーク装置から送信された電力差値を受信する。
【０１０４】
選択肢として、端末はアクセスネットワーク装置の設定した電力パラメータに基づいてアクセスネットワーク装置の期待する送信電力を計算し、そして期待された送信電力及び電力差値に基づいて、異なるエリアにおけるデータの送信電力を決定する。
【０１０５】
選択肢として、端末はプロトコルによって約束された送信電力計算式に基づいて、アクセスネットワーク装置の設定した電力パラメータにより、アクセスネットワーク装置の期待する送信電力を計算し、本実施例はここで繰り返して説明しない。
【０１０６】
１つの可能な実施形態では、端末が第１エリアにおいてデータを送信するようにスケジューリングされた場合、端末は送信電力（第１電力）を期待された送信電力‐電力差値に設定し、
端末が第２エリアにおいてデータを送信するようにスケジューリングされた場合、端末は送信電力（第２電力）をアクセスネットワーク装置の期待した送信電力に設定する。
【０１０７】
端末が優先度の高いデータを送信するようにスケジューリングされた場合、端末は第１エリアにおいて優先度の高いデータを送信することを決定し、そして、送信電力をアクセスネットワーク装置の期待した送信電力に設定し、それによって、第２エリアにおける他の優先度の低いデータの干渉を低減し、優先度の高いデータの伝送の信頼性を高める。
【０１０８】
１つの模式的な例示では、ｅＭＢＢサービス及びＵＲＬＬＣサービスのスケジューリングのシーンにおいて、アクセスネットワーク装置の期待する送信電力がＰであり、そしてアクセスネットワーク装置の設定した電力差値がｄｅｌｔａＰであり、端末が第１エリアにおいてｅＭＢＢデータを送信するようにスケジューリングされた場合、送信電力をＰ−ｄｅｌｔａＰに設定し、端末が第２エリアにおいてｅＭＢＢデータを送信するようにスケジューリングされた場合、送信電力をＰに設定し、端末が第１エリアにおいてＵＲＬＬＣデータを送信するようにスケジューリングされた場合、送信電力をＰに設定する。
【０１０９】
ステップ４０５、端末は第１エリアにおいて第１電力を採用してデータを送信する。
【０１１０】
上記ステップでの例示に対応して、端末は第１エリアにおいてｅＭＢＢデータを送信するようにスケジューリングされた場合、送信電力Ｐ−ｄｅｌｔａＰを採用してｅＭＭＢデータを送信する。
【０１１１】
ステップ４０６、端末は第２エリアにおいて第２電力を採用してデータを送信する。
【０１１２】
上記ステップでの例示に対応して、端末は第２エリアにおいてｅＭＢＢデータを送信するようにスケジューリングされた場合、送信電力Ｐを採用してｅＭＭＢデータを送信する。
【０１１３】
選択肢として、リソースをプリエンプトするＵＲＬＬＣサービスが存在する場合、端末は第１エリアにおいて第３電力を採用してＵＲＬＬＣデータを送信し、例えば、該第３電力は上記例示でのＰであってもよい。
【０１１４】
上記のように、本実施例では、伝送リソースにおける異なるエリアが設定されることによって、端末は異なるエリアにおいて相応の電力でデータ送信を行うことができ、それによって、端末がアップリンクデータを送信する過程において頻繁に制御信号を検出するということが避けられ、これにより、端末の消費電力が低減され、そして、異なる電力でデータ伝送を行うことは、通信システムにおける端末とアクセスネットワーク装置との間のデータ伝送の信頼性と効率の向上に寄与する。
【０１１５】
本実施例では、アクセスネットワーク装置は端末装置にエリア設定情報及び異なるエリアの電力差値を送信し、これにより、端末はエリア設定情報に基づいて異なるエリアを決定し、そして該電力差値に基づいて異なるエリアでのデータの送信電力を決定し、それによって、その後のアップリンクデータ伝送を行い、アップリンクデータ伝送の信頼性と効率が高められ、それと同時に、アクセスネットワーク装置は準静的な方式で電力差値を設定し、それによって、電力ジャンプの追跡の失敗を避ける。
【０１１６】
本実施例では、アクセスネットワーク装置の間でエリア設定情報を交換し、そして取得したエリア設定情報に基づいてエリア調整を行うことによって、隣接するエリアの間の干渉を低減し、更にシステムのデータ伝送品質を高める。
【０１１７】
図５は本願の他の例示的な実施例によるデータ送信方法のフローチャートを示す。本実施例は該方法が図１に記載の通信システムに適用されることを例として説明する。該方法は以下のステップ５０１〜５０６を含む。
【０１１８】
ステップ５０１、アクセスネットワーク装置は第１エリアと第２エリアの設定を示すためのエリア設定情報を端末に送信する。
【０１１９】
本実施例では、アクセスネットワーク装置はそれぞれ第１エリアと第２エリアに対応する２つのＢＷＰを端末に設定し、端末にエリア設定情報を送信する時に、アクセスネットワーク装置は２つのＢＷＰの設定情報及び設定情報を端末に送信する。
【０１２０】
選択肢として、２つのＢＷＰに対応する時間周波数領域リソースは異なり、例えば、ＢＷＰ１はＰＲＢ１−５０に対応し、ＢＷＰ２はＰＲＢ５１−５５に対応し、又は、２つのＢＷＰに対応する時間周波数領域リソースは同じであるが、対応するサブキャリア間隔は異なり、例えば、ＢＷＰ１とＢＷＰ２はいずれもＰＲＢ５１−５５に対応するが、ＢＷＰ１に対応するサブキャリア間隔は６０ＫＨｚであり、ＢＷＰ２に対応するサブキャリア間隔は１５ＫＨｚである。本実施例はこれを限定しない。
【０１２１】
ステップ５０２、端末はアクセスネットワーク装置から送信されたエリア設定情報を受信する。
【０１２２】
それに対応して、端末はエリア設定情報を受信した後、そこにおけるＢＷＰ設定情報に基づいて第１エリアと第２エリアを決定する。
【０１２３】
ステップ５０３、アクセスネットワーク装置は端末に電力パラメータを送信し、第１電力の電力パラメータと前記第２電力の電力パラメータは一部又は全部が独立して設定される。
【０１２４】
本実施例では、アクセスネットワーク装置は各ＢＷＰに一部又は全部の（アップリンク）電力パラメータを独立して設定し、これにより、端末はＢＷＰに設定した電力パラメータに基づいて各エリアでのデータの送信電力を決定する。
【０１２５】
選択肢として、該電力パラメータはターゲット受信電力パラメータ、パスロス補正係数、及びダイナミック電力調整値のうちの少なくとも１つを含み、ターゲット受信電力パラメータはアクセスネットワーク装置がデータを期待して受信できる電力であり、パスロス補正係数は伝送過程における電力ロスを補正することに用いられ、ダイナミック電力調整値は値又はセット（例えば、｛−３，０，３，６｝）の方式で示されてもよい。
【０１２６】
選択肢として、電力パラメータの設定方式は以下の幾つかを含む。
【０１２７】
１、電力パラメータにおけるターゲット受信電力パラメータ及びパスロス補正係数は独立して設定され、且つ電力パラメータにおけるダイナミック電力調整値は共有して設定される。
【０１２８】
この設定方式を採用する場合、アクセスネットワーク装置はそれぞれのターゲット受信電力パラメータ及びパスロス補正係数を各ＢＷＰにそれぞれ設定し、ダイナミック電力調整値を各ＢＷＰに共有させ、即ち、異なるＢＷＰは異なるターゲット受信電力パラメータ及び異なるパスロス補正係数を有するが、同じダイナミック電力調整値を有する。
【０１２９】
例えば、アクセスネットワーク装置は送信する電力パラメータに、ＢＷＰ１に設定するターゲット受信電力Ｐ１とパスロス補正係数ａ１、ＢＷＰ２に設定するターゲット受信電力Ｐ２とパスロス補正係数ａ２、及び統一的に設定するダイナミック電力調整値ｆ１を含める。
【０１３０】
この設定方式を採用する場合、異なるシーン、サービス及びデータタイプに対して区別して電力制御を行うことができ、それと同時に、共有したダイナミック電力調整値に基づいてチャネルの変化情況をリアルタイムに追跡できる。
【０１３１】
２、電力パラメータにおけるターゲット受信電力パラメータ、パスロス補正係数、及びダイナミック電力調整値は独立して設定される。
【０１３２】
この設定方式を採用する場合、アクセスネットワーク装置はそれぞれのターゲット受信電力パラメータ、パスロス補正係数、及びダイナミック電力調整値を各ＢＷＰにそれぞれ設定し、即ち、異なるＢＷＰは異なるターゲット受信電力パラメータ、異なるパスロス補正係数、及び異なるダイナミック電力調整値を有する。
【０１３３】
例えば、アクセスネットワーク装置は送信する電力パラメータに、ＢＷＰ１に設定するターゲット受信電力Ｐ１、パスロス補正係数ａ１、及びダイナミック電力調整値ｆ１、ＢＷＰ２に設定するターゲット受信電力Ｐ２、パスロス補正係数ａ２、及びダイナミック電力調整値ｆ２を含める。
【０１３４】
この設定方式を採用する場合、それぞれの電力パラメータを各ＢＷＰにそれぞれ設定するため、異なるシーン、サービス、データタイプに対して、区別してより精確な電力制御を行うことができる（但し、シグナリングオーバーヘッドもそれに伴って増加する）。
【０１３５】
３、電力パラメータにおけるターゲット受信電力パラメータは独立して設定され、且つ電力パラメータにおけるパスロス補正係数及びダイナミック電力調整値は共有して設定される。
【０１３６】
この設定方式を採用する場合、アクセスネットワーク装置はそれぞれのターゲット受信電力パラメータを各ＢＷＰにそれぞれ設定し、統一したダイナミック電力調整値及びパスロス補正係数を各ＢＷＰに設定し、即ち、異なるＢＷＰは異なるターゲット受信電力パラメータを有するが、同じダイナミック電力調整値及び異なるパスロス補正係数を有する。
【０１３７】
例えば、アクセスネットワーク装置は送信する電力パラメータに、ＢＷＰ１に設定するターゲット受信電力Ｐ１、ＢＷＰ２に設定するターゲット受信電力Ｐ２、及び統一的に設定するダイナミック電力調整値ｆ１とパスロス補正係数ａ１を含める。
【０１３８】
この設定方式を採用する場合、ターゲット受信電力パラメータのみを独立して設定し、即ち、異なるシーン、サービス、データタイプに対して区別して電力制御を行い、それと同時に、電力パラメータ設定のシグナリングオーバーヘッドを低減する。
【０１３９】
４、電力パラメータにおけるターゲット受信電力パラメータ及びダイナミック電力調整値は独立して設定され、且つ電力パラメータにおけるパスロス補正係数は共有して設定される。
【０１４０】
この設定方式を採用する場合、アクセスネットワーク装置はそれぞれのターゲット受信電力パラメータ及びダイナミック電力調整値を各ＢＷＰにそれぞれ設定し、統一したパスロス補正係数を各ＢＷＰに設定し、即ち、異なるＢＷＰは異なるターゲット受信電力パラメータ及び異なるダイナミック電力調整値を有するが、同じパスロス補正係数を有する。
【０１４１】
例えば、アクセスネットワーク装置は送信する電力パラメータに、ＢＷＰ１に設定するターゲット受信電力Ｐ１とダイナミック電力調整値ｆ１、ＢＷＰ２に設定するターゲット受信電力Ｐ２とダイナミック電力調整値ｆ２、及び統一的に設定するパスロス補正係数ａ１を含める。ステップ５０４、端末はアクセスネットワーク装置から設定された電力パラメータを受信する。
【０１４２】
５、電力パラメータにおけるパスロス補正係数は独立して設定され、且つ電力パラメータにおけるターゲット受信電力パラメータ及びダイナミック電力調整値は共有して設定される。
【０１４３】
この設定方式を採用する場合、アクセスネットワーク装置はそれぞれのパスロス補正係数を各ＢＷＰにそれぞれ設定し、統一したターゲット受信電力パラメータ及びダイナミック電力調整値を各ＢＷＰに設定し、即ち、異なるＢＷＰは異なるパスロス補正係数を有するが、同じターゲット受信電力パラメータ及びダイナミック電力調整値を有する。
【０１４４】
６、電力パラメータにおけるパスロス補正係数及びダイナミック電力調整値は独立して設定され、且つ電力パラメータにおけるターゲット受信電力パラメータは共有して設定される。
【０１４５】
この設定方式を採用する場合、アクセスネットワーク装置はそれぞれのパスロス補正係数及びダイナミック電力調整値を各ＢＷＰにそれぞれ設定し、統一したターゲット受信電力パラメータを各ＢＷＰに設定し、即ち、異なるＢＷＰは異なるパスロス補正係数及びダイナミック電力調整値を有するが、同じターゲット受信電力パラメータを有する。
【０１４６】
７、電力パラメータにおけるダイナミック電力調整値は独立して設定され、且つ電力パラメータにおけるターゲット受信電力パラメータ及びパスロス補正係数は共有して設定される。
【０１４７】
この設定方式を採用する場合、アクセスネットワーク装置はそれぞれのダイナミック電力調整値を各ＢＷＰにそれぞれ設定し、統一したターゲット受信電力パラメータ及びパスロス補正係数を各ＢＷＰに設定し、即ち、異なるＢＷＰは異なるダイナミック電力調整値を有するが、同じターゲット受信電力パラメータ及びパスロス補正係数を有する。
【０１４８】
上記の３つの方式で電力パラメータを設定する場合、異なるシーン、サービス、データタイプに対して区別した電力制御を行うことができ、更に電力パラメータを設定する時のシグナリングオーバーヘッドを低減できる（共有の設定が存在するため）。
【０１４９】
８、電力パラメータにおけるダイナミック電力調整値、ターゲット受信電力パラメータ及びパスロス補正係数は共有して設定される。
【０１５０】
この設定方式を採用する場合、アクセスネットワーク装置は統一したターゲット受信電力パラメータ、パスロス補正係数、及びダイナミック電力調整値を各ＢＷＰに設定し、即ち、異なるＢＷＰは同じターゲット受信電力パラメータ、パスロス補正係数、及びダイナミック電力調整値を有する。
【０１５１】
この方式で電力パラメータを設定する場合、異なるＢＷＰが設定パラメータを共有するため、電力パラメータを設定する時のシグナリングオーバーヘッドは最も低いレベルに低減される。その後のプロセスでは、端末はアクセスネットワーク装置によって設定された電力差値に基づいて、異なるシーン、サービス、データタイプに対して区別した電力制御を行う。
【０１５２】
端末はアクセスネットワーク装置によって設定された電力パラメータを受信して記憶し、これにより、その後アップリンクデータを送信する時に、該電力パラメータに基づいて送信電力を決定する。
【０１５３】
ステップ５０５、端末は電力パラメータに基づいて第１電力を決定して、第１エリアにおいて第１電力を採用してデータを送信する。
【０１５４】
選択肢として、アクセスネットワーク装置は電力パラメータのうちの比較的に小さいターゲット受信電力をＢＷＰ１（第１エリアに対応する）に設定し、これにより、端末は第１エリアにおいてデータを送信するようにスケジューリングされた場合、電力パラメータのうちの比較的に小さいターゲット受信電力に基づいて送信電力（即ち第１電力）を設定し、そして設定した送信電力に基づいてデータを送信する。
【０１５５】
例えば、ＢＷＰ１において（アップリンク）ｅＭＭＢデータを送信する場合、端末は比較的に小さいターゲット受信電力を参考して送信電力を設定し、それによって、第１エリアにおいて低電力でｅＭＭＢデータを送信することが実現される。
【０１５６】
ステップ５０６、端末は電力パラメータに基づいて第２電力を決定して、第２エリアにおいて第２電力を採用してデータを送信する。
【０１５７】
選択肢として、アクセスネットワーク装置は電力パラメータのうちの比較的に大きいターゲット受信電力をＢＷＰ２（第２エリアに対応する）に設定し、これにより、端末は第２エリアにおいてデータを送信するようにスケジューリングされた場合、電力パラメータのうちの比較的に大きいターゲット受信電力に基づいて送信電力（即ち第２電力）を設定し、そして設定した送信電力に基づいてデータを送信する。
【０１５８】
例えば、ＢＷＰ２において（アップリンク）ｅＭＭＢデータを送信する場合、端末は比較的に大きいターゲット受信電力を参考して送信電力を設定し、それによって、第２エリアにおいて高電力でｅＭＭＢデータを送信することが実現される。
【０１５９】
選択肢として、ＵＲＬＬＣデータを送信する必要がある場合、端末はリソースプリエンプションの方式によって、ＢＷＰ１（第１エリアに対応する）のリソースを使用してＵＲＬＬＣデータを送信し、そして比較的に大きい送信電力をそれに設定し（例えば、比較的に大きいターゲット受信電力に基づいて）、それによって、ＵＲＬＬＣデータ伝送の信頼性を高める。
【０１６０】
上記のように、本実施例では、伝送リソースにおける異なるエリアが設定されることによって、端末は異なるエリアにおいて相応の電力でデータ送信を行うことができ、それによって、端末がアップリンクデータを送信する過程において頻繁に制御信号を検出するということが避けられ、これにより、端末の消費電力が低減され、そして、異なる電力でデータ伝送を行うことは、通信システムにおける端末とアクセスネットワーク装置との間のデータ伝送の信頼性と効率の向上に寄与する。
【０１６１】
また、５Ｇシステムでは、ＵＲＬＬＣサービスとｅＭＢＢサービスの信頼性要求が異なり、そして物理層ではサービスタイプが見えないため、サービスタイプに基づいて電力制御を行うことは解決すべき課題となる。本願の実施例では、少なくとも２つのＢＷＰを設定し、そしてそのうちの１つのＢＷＰのみにおいて高電力でＵＲＬＬＣデータを送信することによって、サービスタイプに基づく電力区別制御が実現され、そしてＵＲＬＬＣデータ伝送の信頼性向上に利し、それと同時に、ＵＲＬＬＣデータのみに対して電力を増強することで伝送の消費電力及びシステム干渉を低減できる。
【０１６２】
以下は本願の装置実施例であり、装置実施例と方法実施例との間に対応関係が存在するため、装置実施例において説明されない技術詳細については、上記方法実施例における対応の説明を参照できる。
【０１６３】
図６は本願の１つの例示的な実施例によるデータ送信装置のブロック図を示す。該データ送信装置はソフトウェア、ハードウェア、又はその両者の組み合わせによって、端末の全部又は一部として実現されてもよい。該装置は、
第１エリアにおいて第１電力を採用してデータを送信することに用いられる第１送信モジュール６１０と、
第２エリアにおいて第２電力を採用してデータを送信することに用いられる第２送信モジュール６２０と、を備え、
前記第１エリアと前記第２エリアは伝送リソースによって区分される。
【０１６４】
選択肢として、前記第１エリアと前記第２エリアは時間領域リソースによって区分され、又は、
前記第１エリアと前記第２エリアは周波数領域リソースによって区分され、又は、
前記第１エリアと前記第２エリアは前記時間領域リソースと前記周波数領域リソースによって区分され、又は、
前記第１エリアと前記第２エリアは周波数領域帯域幅部分（ＢＷＰ）によって区分され、
前記時間領域リソースはシンボル、タイムスロット、及びサブフレームのうちの少なくとも１つを含み、前記周波数領域リソースは物理リソースブロック（ＰＲＢ）とリソースブロックグループ（ＲＢＧ）のうちの少なくとも１つを含む。
【０１６５】
選択肢として、前記装置は更に、
アクセスネットワーク装置から送信されたエリア設定情報を受信することに用いられ、  前記エリア設定情報は前記第１エリアと前記第２エリアの設定を示すことに用いられる情報受信モジュールを備える。
【０１６６】
選択肢として、前記装置は更に、
アクセスネットワーク装置から送信されたエリア設定情報を受信することに用いられ、前記エリア設定情報は前記第１電力エリアと前記第２電力エリアの設定を示すことに用いられる情報受信モジュールと、
前記端末が前記アクセスネットワーク装置から送信された電力差値を受信することに用いられる差値受信モジュールと、を備え、
前記電力差値は第１電力の電力パラメータと第２電力の電力パラメータとの差値である。
【０１６７】
選択肢として、前記電力差値は準静的に設定される。
【０１６８】
選択肢として、前記第１電力の電力パラメータと前記第２電力の電力パラメータは一部又は全部が独立して設定される。
【０１６９】
選択肢として、前記電力パラメータにおけるターゲット受信電力パラメータ及びパスロス補正係数は独立して設定され、且つ前記電力パラメータにおけるダイナミック電力調整値は共有して設定され、
又は、
前記電力パラメータにおけるターゲット受信電力パラメータ、パスロス補正係数、及びダイナミック電力調整値は独立して設定され、
又は、
前記電力パラメータにおけるターゲット受信電力パラメータは独立して設定され、且つ前記電力パラメータにおけるパスロス補正係数及びダイナミック電力調整値は共有して設定され、
又は、
前記電力パラメータにおけるターゲット受信電力パラメータ及びダイナミック電力調整値は独立して設定され、且つ前記電力パラメータにおけるパスロス補正係数は共有して設定され、
又は、
前記電力パラメータにおけるパスロス補正係数は独立して設定され、且つ前記電力パラメータにおけるターゲット受信電力パラメータ及びダイナミック電力調整値は共有して設定され、
又は、
前記電力パラメータにおけるパスロス補正係数及びダイナミック電力調整値は独立して設定され、且つ前記電力パラメータにおけるターゲット受信電力パラメータは共有して設定され、
又は、
前記電力パラメータにおけるダイナミック電力調整値は独立して設定され、且つ前記電力パラメータにおけるターゲット受信電力パラメータ及びパスロス補正係数は共有して設定され、
又は、
前記電力パラメータにおけるダイナミック電力調整値、ターゲット受信電力パラメータ及びパスロス補正係数は共有して設定される。
【０１７０】
それに関する詳細については、上記の各方法実施例における端末によって実行されるステップを参照できる。
【０１７１】
図７は本願の１つの例示的な実施例によるデータ送信装置のブロック図を示す。該データ送信装置はソフトウェア、ハードウェア、又はその両者の組み合わせによって、アクセスネットワーク装置の全部又は一部として実現されてもよい。該装置は、
第１エリアにおいて第１電力を採用してデータを送信することに用いられる第３送信モジュール７１０と、
第２エリアにおいて第２電力を採用してデータを送信することに用いられる第４送信モジュール７２０と、を備え、
前記第１エリアと前記第２エリアは伝送リソースによって区分される。
【０１７２】
選択肢として、前記第１エリアと前記第２エリアは時間領域リソースによって区分され、又は、
前記第１エリアと前記第２エリアは周波数領域リソースによって区分され、又は、
前記第１エリアと前記第２エリアは前記時間領域リソースと前記周波数領域リソースによって区分され、又は、
前記第１エリアと前記第２エリアは周波数領域帯域幅部分（ＢＷＰ）によって区分され、
前記時間領域リソースはシンボル、タイムスロット、及びサブフレームのうちの少なくとも１つを含み、前記周波数領域リソースは物理リソースブロック（ＰＲＢ）とリソースブロックグループ（ＲＢＧ）のうちの少なくとも１つを含む。
【０１７３】
選択肢として、前記装置は更に、
端末にエリア設定情報を送信することに用いられ、前記エリア設定情報は前記第１エリアと前記第２エリアの設定を示すことに用いられる情報送信モジュールを備える。
【０１７４】
選択肢として、前記装置は更に、
端末にエリア設定情報を送信することに用いられ、前記エリア設定情報は前記第１エリアと前記第２エリアの設定を示すことに用いられる情報送信モジュールと、
前記端末に電力差値を送信することに用いられる差値送信モジュールと、を備え、
前記電力差値は第１電力の電力パラメータと第２電力の電力パラメータとの差値である。
【０１７５】
選択肢として、前記電力差値は準静的に設定される。
【０１７６】
選択肢として、前記第１電力の電力パラメータと前記第２電力の電力パラメータは一部又は全部が独立して設定される。
【０１７７】
選択肢として、
前記電力パラメータにおけるターゲット受信電力パラメータ及びパスロス補正係数は独立して設定され、且つ前記電力パラメータにおけるダイナミック電力調整値は共有して設定され、
又は、
前記電力パラメータにおけるターゲット受信電力パラメータ、パスロス補正係数、及びダイナミック電力調整値は独立して設定され、
又は、
前記電力パラメータにおけるターゲット受信電力パラメータは独立して設定され、且つ前記電力パラメータにおけるパスロス補正係数及びダイナミック電力調整値は共有して設定され、
又は、
前記電力パラメータにおけるターゲット受信電力パラメータ及びダイナミック電力調整値は独立して設定され、且つ前記電力パラメータにおけるパスロス補正係数は共有して設定され、
又は、
前記電力パラメータにおけるパスロス補正係数は独立して設定され、且つ前記電力パラメータにおけるターゲット受信電力パラメータ及びダイナミック電力調整値は共有して設定され、
又は、
前記電力パラメータにおけるパスロス補正係数及びダイナミック電力調整値は独立して設定され、且つ前記電力パラメータにおけるターゲット受信電力パラメータは共有して設定され、
又は、
前記電力パラメータにおけるダイナミック電力調整値は独立して設定され、且つ前記電力パラメータにおけるターゲット受信電力パラメータ及びパスロス補正係数は共有して設定され、
又は、
前記電力パラメータにおけるダイナミック電力調整値、ターゲット受信電力パラメータ及びパスロス補正係数は共有して設定される。
【０１７８】
それに関する詳細については、上記の各方法実施例におけるアクセスネットワーク装置によって実行されるステップを参照できる。
【０１７９】
図８は本願の１つ例示的な実施例による端末装置の構造模式図を示し、該端末はプロセッサ１０１、受信機１０２、送信機１０３、メモリ１０４、及びバス１０５を備える。
【０１８０】
プロセッサ１０１は１つ以上の処理コアを備え、プロセッサ１０１はソフトウェアプログラム及びモジュールを実行することによって、様々な機能アプリケーション及び情報処理を実行する。
【０１８１】
受信機１０２と送信機１０３は１つの通信コンポーネントとして実現されてもよく、該通信コンポーネントは１つの通信チップであってもよい。
【０１８２】
メモリ１０４はバス１０５を介してプロセッサ１０１に接続される。
【０１８３】
メモリ１０４は少なくとも１つの命令を記憶することに用いられてもよく、プロセッサ１０１は該少なくとも１つの命令を実行して上記方法実施例における端末によって実行される各ステップを実現することに用いられる。
【０１８４】
また、メモリ１０４は任意のタイプの揮発性又は不揮発性記憶装置又はそれらの組み合わせによって実現されてもよく、揮発性又は不揮発性記憶装置は磁気ディスク又は光ディスク、電気的消去可能プログラマブル読取り専用メモリ（ＥＥＰＲＯＭ）、消去可能プログラマブル読取り専用メモリ（ＥＰＲＯＭ）、スタティックランダムアクセスメモリ（ＳＲＡＭ）、読取り専用メモリ（ＲＯＭ）、磁気メモリ、フラッシュメモリ、プログラム可能読み出し専用メモリ（ＰＲＯＭ）を含むが、それらに限らない。
【０１８５】
図９は本願の１つの例示的な実施例によるアクセスネットワーク装置の構造模式図を示し、該アクセスネットワーク装置はプロセッサ１１１、受信機１１２、送信機１１３、メモリ１１４、及びバス１１５を備える。
【０１８６】
プロセッサ１１１は１つ以上の処理コアを備え、プロセッサ１１１はソフトウェアプログラム及びモジュールを実行することによって、様々な機能アプリケーション及び情報処理を実行する。
【０１８７】
受信機１１２と送信機１１３は１つの通信コンポーネントとして実現されてもよく、該通信コンポーネントは１つの通信チップであってもよい。
【０１８８】
メモリ１１４はバス１１５を介してプロセッサ１１１に接続される。
【０１８９】
メモリ１１４は少なくとも１つの命令を記憶することに用いられてもよく、プロセッサ１１１は該少なくとも１つの命令を実行して上記方法実施例におけるアクセスネットワーク装置によって実行される各ステップを実現することに用いられる。
【０１９０】
また、メモリ１１４は任意のタイプの揮発性又は不揮発性記憶装置又はそれらの組み合わせによって実現されてもよく、揮発性又は不揮発性記憶装置は磁気ディスク又は光ディスク、電気的消去可能プログラマブル読取り専用メモリ（ＥＥＰＲＯＭ）、消去可能プログラマブル読取り専用メモリ（ＥＰＲＯＭ）、スタティックランダムアクセスメモリ（ＳＲＡＭ）、読取り専用メモリ（ＲＯＭ）、磁気メモリ、フラッシュメモリ、プログラム可能読み出し専用メモリ（ＰＲＯＭ）を含むが、それらに限らない。
【０１９１】
本願はコンピュータ可読記憶媒体を提供し、前記記憶媒体には少なくとも１つの命令が記憶され、前記少なくとも１つの命令は前記プロセッサによってロードして実行されて、上記各方法実施例によるデータ送信方法を実現する。
【０１９２】
本願は更にコンピュータプログラム製品を提供し、コンピュータプログラム製品がコンピュータにおいて実行される時、コンピュータは上記の各方法実施例によるデータ送信方法を実行する。
【０１９３】
当業者が意識できるように、上記１つ又は複数の例示において、本願実施例に記載の機能はハードウェア、ソフトウェア、ファームウェア、又はそれらの任意の組み合わせで実現してもよい。ソフトウェアを使用して実現する場合、それらの機能をコンピュータ可読媒体に記憶し、又はコンピュータ可読媒体における１つ又は複数の命令又はコードとして伝送してもよい。コンピュータ可読媒体はコンピュータ記憶媒体及び通信媒体を含み、通信媒体はコンピュータプログラムを１つの場所から他の場所に伝送するのに便利な任意の媒体を含む。記憶媒体は汎用又は専用のコンピュータがアクセスできる任意の利用可能な媒体であってもよい。
【０１９４】
以上は本願の好適な実施例に過ぎず、本願を制限するためのものではない。本願の精神及び原則内において行われる如何なる修正、同等な代替、改善等は、いずれも本願の保護範囲内に含まれるべきである。
【図１】
2021511704.tif 000003
【図２】
2021511704.tif 000004
【図３】
2021511704.tif 000005
【図４】
2021511704.tif 000006
【図５】
2021511704.tif 000007
【図６】
2021511704.tif 000008
【図７】
2021511704.tif 000009
【図８】
2021511704.tif 000010
【図９】
2021511704.tif 000011
【手続補正書】
【提出日】令和2年7月9日(2020.7.9)
【手続補正１】
【補正対象書類名】明細書
【補正対象項目名】０１４１
【補正方法】変更
【補正の内容】
【０１４１】
例えば、アクセスネットワーク装置は送信する電力パラメータに、ＢＷＰ１に設定するターゲット受信電力Ｐ１とダイナミック電力調整値ｆ１、ＢＷＰ２に設定するターゲット受信電力Ｐ２とダイナミック電力調整値ｆ２、及び統一的に設定するパスロス補正係数ａ１を含める。
【手続補正２】
【補正対象書類名】明細書
【補正対象項目名】０１５２
【補正方法】変更
【補正の内容】
【０１５２】
ステップ５０４、端末はアクセスネットワーク装置から設定された電力パラメータを受信する。
端末はアクセスネットワーク装置によって設定された電力パラメータを受信して記憶し、これにより、その後アップリンクデータを送信する時に、該電力パラメータに基づいて送信電力を決定する。
【手続補正３】
【補正対象書類名】特許請求の範囲
【補正対象項目名】全文
【補正方法】変更
【補正の内容】
【特許請求の範囲】
【請求項１】
データ送信方法であって、
端末が第１エリアにおいて第１電力を採用してデータを送信することと、
前記端末が第２エリアにおいて第２電力を採用してデータを送信することと、を含み、
前記第１エリアと前記第２エリアは伝送リソースによって区分されることを特徴とするデータ送信方法。
【請求項２】
前記第１エリアと前記第２エリアが伝送リソースによって区分されることは、
前記第１エリアと前記第２エリアは周波数領域帯域幅部分（ＢＷＰ）によって区分されることを特徴とする請求項１に記載の方法。
【請求項３】
前記第１エリアと前記第２エリアが伝送リソースによって区分されることは、
前記第１エリアと前記第２エリアは時間領域リソースによって区分され、又は、
前記第１エリアと前記第２エリアは周波数領域リソースによって区分され、又は、
前記第１エリアと前記第２エリアは前記時間領域リソースと前記周波数領域リソースによって区分され、
前記時間領域リソースはシンボル、タイムスロット、及びサブフレームのうちの少なくとも１つを含み、前記周波数領域リソースは物理リソースブロック（ＰＲＢ）とリソースブロックグループ（ＲＢＧ）のうちの少なくとも１つを含むことを特徴とする請求項１に記載の方法。
【請求項４】
前記端末は、アクセスネットワーク装置から前記第１エリアの周波数領域設定情報と前記第２エリアの周波数領域設定情報を取得することを特徴とする請求項２に記載の方法。
【請求項５】
前記端末が第１エリアにおいて第１電力を採用してデータを送信する前に、前記方法は更に、
前記端末がアクセスネットワーク装置から送信されたエリア設定情報を受信し、前記エリア設定情報は第１電力エリアと第２電力エリアの設定を示すことに用いられることと、
前記端末が前記アクセスネットワーク装置から送信された電力差値を受信することと、を含み、
前記電力差値は第１電力の電力パラメータと第２電力の電力パラメータとの差値であることを特徴とする請求項１〜３のいずれか１項に記載の方法。
【請求項６】
前記第１電力の電力パラメータと前記第２電力の電力パラメータは、一部又は全部が独立して設定されることを特徴とする請求項１に記載の方法。
【請求項７】
前記第１電力の電力パラメータと前記第２電力の電力パラメータが、一部又は全部が独立して設定されることは、
前記電力パラメータにおけるターゲット受信電力パラメータ、パスロス補正係数、及びダイナミック電力調整値は独立して設定されることを特徴とする請求項６に記載の方法。
【請求項８】
前記第１電力の電力パラメータと前記第２電力の電力パラメータが、一部又は全部が独立して設定されることは、
前記電力パラメータにおけるターゲット受信電力パラメータ及びパスロス補正係数は独立して設定され、且つ前記電力パラメータにおけるダイナミック電力調整値は共有して設定され、
又は、
前記電力パラメータにおけるターゲット受信電力パラメータは独立して設定され、且つ前記電力パラメータにおけるパスロス補正係数及びダイナミック電力調整値は共有して設定され、
又は、
前記電力パラメータにおけるターゲット受信電力パラメータ及びダイナミック電力調整値は独立して設定され、且つ前記電力パラメータにおけるパスロス補正係数は共有して設定され、
又は、
前記電力パラメータにおけるパスロス補正係数は独立して設定され、且つ前記電力パラメータにおけるターゲット受信電力パラメータ及びダイナミック電力調整値は共有して設定され、
又は、
前記電力パラメータにおけるパスロス補正係数及びダイナミック電力調整値は独立して設定され、且つ前記電力パラメータにおけるターゲット受信電力パラメータは共有して設定され、
又は、
前記電力パラメータにおけるダイナミック電力調整値は独立して設定され、且つ前記電力パラメータにおけるターゲット受信電力パラメータ及びパスロス補正係数は共有して設定され、
又は、
前記電力パラメータにおけるダイナミック電力調整値、ターゲット受信電力パラメータ及びパスロス補正係数は共有して設定されることを特徴とする請求項６に記載の方法。
【請求項９】
データ受信方法であって、
アクセスネットワーク装置が第１エリアにおいて第１電力を採用してデータを送信することと、
前記アクセスネットワーク装置が第２エリアにおいて第２電力を採用してデータを送信することと、を含み、
前記第１エリアと前記第２エリアは伝送リソースによって区分されることを特徴とするデータ受信方法。
【請求項１０】
前記第１エリアと前記第２エリアが伝送リソースによって区分されることは、
前記第１エリアと前記第２エリアは周波数領域帯域幅部分（ＢＷＰ）によって区分されることを特徴とする請求項９に記載の方法。
【請求項１１】
前記アクセスネットワーク装置は、前記第１エリアの周波数領域設定情報と前記第２エリアの周波数領域設定情報を端末に送信することを特徴とする請求項１０に記載の方法。
【請求項１２】
前記第１電力の電力パラメータと前記第２電力の電力パラメータは、一部又は全部が独立して設定されることを特徴とする請求項９に記載の方法。
【請求項１３】
前記電力パラメータにおけるターゲット受信電力パラメータ及びパスロス補正係数は独立して設定され、且つ前記電力パラメータにおけるダイナミック電力調整値は共有して設定され、
又は、
前記電力パラメータにおけるターゲット受信電力パラメータ、パスロス補正係数、及びダイナミック電力調整値は独立して設定され、
又は、
前記電力パラメータにおけるターゲット受信電力パラメータは独立して設定され、且つ前記電力パラメータにおけるパスロス補正係数及びダイナミック電力調整値は共有して設定され、
又は、
前記電力パラメータにおけるターゲット受信電力パラメータ及びダイナミック電力調整値は独立して設定され、且つ前記電力パラメータにおけるパスロス補正係数は共有して設定され、
又は、
前記電力パラメータにおけるパスロス補正係数は独立して設定され、且つ前記電力パラメータにおけるターゲット受信電力パラメータ及びダイナミック電力調整値は共有して設定され、
又は、
前記電力パラメータにおけるパスロス補正係数及びダイナミック電力調整値は独立して設定され、且つ前記電力パラメータにおけるターゲット受信電力パラメータは共有して設定され、
又は、
前記電力パラメータにおけるダイナミック電力調整値は独立して設定され、且つ前記電力パラメータにおけるターゲット受信電力パラメータ及びパスロス補正係数は共有して設定され、
又は、
前記電力パラメータにおけるダイナミック電力調整値、ターゲット受信電力パラメータ及びパスロス補正係数は共有して設定されることを特徴とする請求項１２に記載の方法。
【請求項１４】
データ送信装置であって、請求項１〜８のいずれか１項に記載の方法を実行するように構成されるデータ送信装置。
【請求項１５】
データ受信装置であって、請求項９〜１３のいずれか１項に記載の方法を実行するように構成されるデータ受信装置。
【国際調査報告】
2021511704.tif 000012
2021511704.tif 000013
2021511704.tif 000014
2021511704.tif 000015
2021511704.tif 000016